(57)【要約】【課題】心筋を高画質で撮像できるようにすること。【解決手段】実施形態に係る磁気共鳴イメージング装置は、収集部と、算出部とを備える。前記収集部は、少なくとも第１の心時相と第２の心時相とにおいてＭＲ信号を収集する。前記算出部は、前記第１の心時相において領域選択ＩＲパルスを印加する選択領域を、前記第２の心時相における撮像領域及び前記ＭＲ信号に基づく心筋の変位に応じて算出する。【選択図】図２
2020014553.tif 000002
【特許請求の範囲】
【請求項１】
少なくとも第１の心時相と第２の心時相とにおいてＭＲ信号を収集する収集部と、
前記第１の心時相において領域選択ＩＲパルスを印加する選択領域を、前記第２の心時相における撮像領域及び前記ＭＲ信号に基づく心筋の変位に応じて算出する算出部と、
を備えた磁気共鳴イメージング装置。
【請求項２】
前記算出部は、前記ＭＲ信号に基づく画像から前記心筋の変位を取得する、
請求項１に記載の磁気共鳴イメージング装置。
【請求項３】
前記算出部は、心筋の画像に設定した複数の領域又は心筋の画像に設定した複数の代表点を追跡することによって、前記心筋の変位を算出する、
請求項２に記載の磁気共鳴イメージング装置。
【請求項４】
前記算出部は、前記選択領域の位置を、前記撮像領域と同一位置の前記第１の心時相における位置とし、記選択領域の厚みを、前記撮像領域と同一位置の前記第１の心時相における厚みとする、
請求項１〜３のいずれか一つに記載の磁気共鳴イメージング装置。
【請求項５】
前記第１の心時相は心臓の収縮期であり、前記第２の心時相は心臓の拡張期である、
請求項１〜４のいずれか一つに記載の磁気共鳴イメージング装置。
【請求項６】
前記第１の心時相は心臓の拡張期であり、前記第２の心時相は心臓の収縮期である、
請求項１〜４のいずれか一つに記載の磁気共鳴イメージング装置。
【請求項７】
前記収集部は、本撮像に先立つ準備撮像において、前記ＭＲ信号を収集する、
請求項１〜６のいずれか一つに記載の磁気共鳴イメージング装置。
【請求項８】
前記収集部は、本撮像において領域選択ＩＲパルスが印加された前記選択領域からＭＲ信号を収集する、
請求項１〜７のいずれか一つに記載の磁気共鳴イメージング装置。
【請求項９】
少なくとも第１の心時相と第２の心時相とにおいてＭＲ信号を収集し、
前記第１の心時相において領域選択ＩＲパルスを印加する選択領域を、前記第２の心時相における撮像領域及び前記ＭＲ信号に基づく心筋の変位に応じて算出する、
処理をコンピューターに実行させる磁気共鳴イメージングプログラム。
【発明の詳細な説明】
【技術分野】
【０００１】
本発明の実施形態は、磁気共鳴イメージング装置及び磁気共鳴イメージングプログラムに関する。
【背景技術】
【０００２】
磁気共鳴イメージングにおいて、領域非選択ＩＲ（Inversion  Recovery）パルスと領域選択ＩＲパルスとを連続して印加する手法により、心腔内の血液に由来する信号を抑制して、心筋のみを撮像することが行われている。
【先行技術文献】
【特許文献】
【０００３】
【特許文献１】特開２００９−１５３９６５号公報
【発明の概要】
【発明が解決しようとする課題】
【０００４】
本発明が解決しようとする課題は、心筋を高画質で撮像できるようにすることである。
【課題を解決するための手段】
【０００５】
実施形態に係る磁気共鳴イメージング装置は、収集部と、算出部とを備える。前記収集部は、少なくとも第１の心時相と第２の心時相とにおいてＭＲ信号を収集する。前記算出部は、前記第１の心時相において領域選択ＩＲパルスを印加する選択領域を、前記第２の心時相における撮像領域及び前記ＭＲ信号に基づく心筋の変位に応じて算出する。
【図面の簡単な説明】
【０００６】
【図１】図１は、磁気共鳴イメージング装置の構成例を示す図である。
【図２】図２は、実施形態における処理例を示すフローチャートである。
【図３】図３は、撮像領域の指定の例を示す図である。
【図４】図４は、心電波形と収縮期及び拡張期の例を示す図である。
【図５】図５は、心臓の動きの少ない時相の例を示す図である。
【図６】図６は、ＩＲパルス印加及びデータ取得のタイミングの例を示す図である。
【図７Ａ】図７Ａは、収縮期と拡張期における同一位置の認識の例を示す図（１）である。
【図７Ｂ】図７Ｂは、収縮期と拡張期における同一位置の認識の例を示す図（２）である。
【図８Ａ】図８Ａは、同一位置の認識の結果の例を示す図（１）である。
【図８Ｂ】図８Ｂは、同一位置の認識の結果の例を示す図（２）である。
【図９】図９は、領域選択ＩＲパルスの印加位置及び厚みの例を示す図である。
【発明を実施するための形態】
【０００７】
以下、図面を参照して、磁気共鳴イメージング装置及び磁気共鳴イメージングプログラムの実施形態を説明する。なお、実施形態は、以下の内容に限られるものではない。
【０００８】
図１は、磁気共鳴イメージング装置１の構成例を示す図である。図１において、磁気共鳴イメージング装置１は、磁石架台１０１と、寝台１１１とを備えている。なお、本実施形態では、寝台１１１の天板１１２の長手方向をＺ軸方向、Ｚ軸方向に直交し床面に対し水平である軸方向をＸ軸方向、Ｚ軸方向に直交し床面に対し垂直である軸方向をＹ軸方向とする。磁石架台１０１は、静磁場磁石１０２と、傾斜磁場コイルユニット１０８と、ＲＦコイル１０９とを備えている。なお、磁石架台１０１の内部構成については、縦断面図にて示されている。
【０００９】
傾斜磁場コイルユニット１０８には、メインコイル１０３と、シールドコイル１０４とが含まれている。メインコイル１０３とシールドコイル１０４との間には、シムトレイ１０６と、シム部材１０７とが含まれている。また、磁気共鳴イメージング装置１は、傾斜磁場電源１２２と、送信回路１２３と、受信回路１２４と、寝台制御回路１２５と、シーケンス制御回路１２６と、コンピューター１３１とを備えている。なお、磁気共鳴イメージング装置１に、被検体Ｐ（例えば、人体）は含まれない。また、図１に示す構成は一例に過ぎない。例えば、シーケンス制御回路１２６及びコンピューター１３１内の各部は、適宜統合若しくは分離して構成されてもよい。
【００１０】
静磁場磁石１０２は、概略円筒形状をなしており、被検体Ｐの撮像領域を含むボア（静磁場磁石１０２の円筒内部の空間）内に静磁場を発生させる。静磁場磁石１０２は超伝導磁石でも永久磁石でもよい。
【００１１】
傾斜磁場コイルユニット１０８も概略円筒形状をなし、静磁場磁石１０２の内側に防振ゴム等の支持構造により保持されている。傾斜磁場コイルユニット１０８は、傾斜磁場電源１２２から供給される電流により互いに直交するＸ軸，Ｙ軸及びＺ軸の方向に傾斜磁場を印加（発生）するメインコイル１０３と、メインコイル１０３の漏洩磁場をキャンセルするシールドコイル１０４とを有している。メインコイル１０３とシールドコイル１０４との間にはシムトレイ１０６が挿入される。シムトレイ１０６には、ボア内の磁場不均一を補正するためのシム部材（鉄シム、金属シム等とも呼ばれる）１０７が収納される。
【００１２】
寝台１１１は、被検体Ｐが載置される天板１１２を備え、寝台制御回路１２５による制御の下、天板１１２を、被検体Ｐが載置された状態で、傾斜磁場コイルユニット１０８の空洞（撮像口）内へ挿入する。通常、寝台１１１は、長手方向が静磁場磁石１０２の中心軸と平行になるように設置される。寝台制御回路１２５は、コンピューター１３１による制御の下、寝台１１１を駆動して天板１１２を長手方向及び上下方向へ移動する。
【００１３】
被検体Ｐには、生体信号の取得のために複数の電極１１５が接続される。生体信号とは、例えば心電図（Electrocardiogram、ＥＣＧ）や脈波（Photoplethysmogram、ＰＰＧ）などである。電極１１５は、例えば、複数個の吸盤タイプ、シールタイプ又はクリップタイプ等の部材である。複数の電極１１５は、生体信号の取得のための一般的な位置に装着される。複数の電極１１５は生体信号取得回路１１６に接続され、生体信号取得回路１１６は生体信号を取得し、コンピューター１３１に出力する。なお、生体信号取得回路１１６は、磁気共鳴イメージング装置１の一部として設けられてもよいし、磁気共鳴イメージング装置１とは別の装置として設けられてもよい。
【００１４】
ＲＦコイル１０９は、傾斜磁場コイルユニット１０８の内側に配置され、送信回路１２３からＲＦパルスの供給を受けて高周波磁場を発生する。また、高周波磁場の影響によって被検体Ｐから発せられる磁気共鳴信号を受信し、受信した磁気共鳴信号を受信回路１２４へ出力する。なお、ＲＦコイル１０９は、送信コイルと受信コイルとに分かれて構成されるものでもよい。
【００１５】
受信回路１２４は、ＲＦコイル１０９から出力される磁気共鳴信号を検出し、検出された磁気共鳴信号に基づいて磁気共鳴データを生成する。具体的には、受信回路１２４は、ＲＦコイル１０９で受信された磁気共鳴信号をデジタル変換することによって磁気共鳴データを生成する。また、受信回路１２４は、生成された磁気共鳴データをシーケンス制御回路１２６へ送信する。なお、受信回路１２４は、磁石架台１０１側に備えられてもよい。
【００１６】
シーケンス制御回路１２６は、コンピューター１３１から送信されるシーケンス情報に基づいて、傾斜磁場電源１２２、送信回路１２３及び受信回路１２４を駆動することによって、被検体Ｐの撮像を行う。ここで、シーケンス情報は、撮像を行うための手順を定義した情報である。シーケンス情報には、傾斜磁場電源１２２がメインコイル１０３に供給する電流の強さや電流を供給するタイミング、送信回路１２３がＲＦコイル１０９に供給するＲＦパルスの強さやＲＦパルスを印加するタイミング、受信回路１２４が磁気共鳴信号を検出するタイミング等が定義される。例えば、シーケンス制御回路１２６は、プロセッサにより実現される。
【００１７】
さらに、シーケンス制御回路１２６は、傾斜磁場電源１２２、送信回路１２３及び受信回路１２４を駆動して被検体Ｐを撮像した結果、受信回路１２４から磁気共鳴データを受信すると、受信した磁気共鳴データをコンピューター１３１へ転送する。
【００１８】
コンピューター１３１は、磁気共鳴イメージング装置１の全体制御や、画像の生成等を行う。コンピューター１３１は、メモリ１３２、入力装置１３３、ディスプレイ１３４及び処理回路１３５を備える。処理回路１３５は、インタフェース機能１３６、制御機能１３７及び画像生成機能１３８を備える。
【００１９】
上記のインタフェース機能１３６、制御機能１３７及び画像生成機能１３８にて行われる各処理機能は、コンピューター１３１において実行可能なプログラムの形態でメモリ１３２へ記憶されている。処理回路１３５はプログラムをメモリ１３２から読み出し、実行することで各プログラムに対応する機能を実現するプロセッサである。換言すると、各プログラムを読み出した状態の処理回路１３５は、図１の処理回路１３５内に示された各機能を有することになる。なお、図１においては単一の処理回路１３５にて、インタフェース機能１３６、制御機能１３７及び画像生成機能１３８にて行われる処理機能が実現されるものとして説明するが、複数の独立したプロセッサを組み合わせて処理回路１３５を構成し、各プロセッサがプログラムを実行することにより機能を実現するものとしても構わない。換言すると、上述のそれぞれの機能がプログラムとして構成され、１つの処理回路１３５が各プログラムを実行する場合であってもよい。別の例として、特定の機能が専用の独立したプログラム実行回路に実装される場合であってもよい。
【００２０】
上記説明において用いられた「プロセッサ」という文言は、例えば、ＣＰＵ（Central  Processing  Unit）、ＧＰＵ（Graphics  Processing  Unit）、あるいは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、又はフィールドプログラマブルゲートアレイ（Field  Programmable  Gate  Array：ＦＰＧＡ））等の回路を意味する。プロセッサはメモリ１３２に保存されたプログラムを読み出し実行することで機能を実現する。なお、メモリ１３２にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。
【００２１】
また、送信回路１２３、受信回路１２４及び寝台制御回路１２５等も同様に、上記のプロセッサ等の電子回路により構成される。
【００２２】
処理回路１３５は、インタフェース機能１３６により、シーケンス情報をシーケンス制御回路１２６へ送信し、シーケンス制御回路１２６から磁気共鳴データを受信する。また、磁気共鳴データを受信すると、インタフェース機能１３６を有する処理回路１３５は、受信した磁気共鳴データをメモリ１３２に格納する。メモリ１３２に格納された磁気共鳴データは、制御機能１３７によってｋ空間に配置される。この結果、メモリ１３２は、ｋ空間データを記憶する。
【００２３】
メモリ１３２は、インタフェース機能１３６を有する処理回路１３５によって受信された磁気共鳴データや、制御機能１３７を有する処理回路１３５によってｋ空間に配置されたｋ空間データや、画像生成機能１３８を有する処理回路１３５によって生成された画像データ等を記憶する。例えば、メモリ１３２は、ＲＡＭ（Random  Access  Memory）、フラッシュメモリ等の半導体メモリ素子、ハードディスク、光ディスク等である。
【００２４】
入力装置１３３は、操作者からの各種指示や情報入力を受け付ける。入力装置１３３は、例えば、マウスやトラックボール等のポインティングデバイス、モード切替スイッチ等の選択デバイス、あるいはキーボード等の入力デバイスである。入力装置１３３は、入力を受け付けるインタフェースである。ディスプレイ１３４は、制御機能１３７を有する処理回路１３５による制御の下、撮像条件の入力を受け付けるためのＧＵＩ（Graphical  User  Interface）や、画像生成機能１３８を有する処理回路１３５によって生成された画像等を表示する。ディスプレイ１３４は、例えば、液晶表示器等の表示デバイスである。
【００２５】
処理回路１３５は、制御機能１３７により、磁気共鳴イメージング装置１の全体制御を行い、撮像や画像の生成、画像の表示等を制御する。例えば、制御機能１３７を有する処理回路１３５は、撮像条件（撮像パラメータ等）の入力をＧＵＩ上で受け付け、受け付けた撮像条件に従ってシーケンス情報を生成する。また、制御機能１３７を有する処理回路１３５は、生成したシーケンス情報をシーケンス制御回路１２６へ送信する。処理回路１３５は、画像生成機能１３８により、ｋ空間データをメモリ１３２から読み出し、読み出したｋ空間データにフーリエ変換等の再構成処理を施すことで、画像を生成する。なお、制御機能１３７は、本撮像に先立って準備撮像（Preparation  Scan）の制御を行い、その結果及び操作者からの操作指示に基づき、撮像領域の周辺から流入する血液から発せられるＭＲ信号を低減させるための領域非選択ＩＲパルス及び領域選択ＩＲパルスの印加やデータ取得のタイミングを含めた、本撮像の詳細条件を決定する。処理の詳細は後述する。制御機能１３７は、収集部及び算出部の一例である。
【００２６】
本実施形態は、領域非選択ＩＲパルスと領域選択ＩＲパルスとを連続して印加する手法により心腔内の血液に由来する信号を抑制して心筋のみを撮像するに際し、心筋をより高画質で撮像できるようにしている。
【００２７】
すなわち、磁気共鳴イメージングにおいて、例えば一つのスライスによる撮像領域について、その撮像領域の周辺から流入する血液から発せられるＭＲ信号を低減させるため、領域非選択ＩＲ（Inversion  Recovery）パルスと、撮像領域を対象とした領域選択ＩＲパルスとを連続して印加する手法が知られている。領域非選択ＩＲパルスと領域選択ＩＲパルスとが重ねて印加された領域はＩＲパルスの効果が打ち消されるが、領域非選択ＩＲパルスが印加された領域のうち領域選択ＩＲパルスが印加された領域以外の領域の縦磁化はいったん反転した後に緩和により回復していき、所定の時間経過時点での縦磁化ベクトルの値がゼロとなるため、そのタイミングで励起パルス（９０°パルス）の印加を伴う撮像を行うことで、撮像領域の周辺から流入する血液からのＭＲ信号を抑制することができる。
【００２８】
ところで、かかる手法を、動きのある心臓の心筋の撮像に適用する場合においては、領域選択ＩＲパルスが印加される領域を撮像領域と同等にすると、心臓の動きにより本来撮像したい心筋の全てをカバーできない場合がある。つまり、心筋の一部が励起されずに十分なＭＲ信号を得られない場合がある。一方で、心筋を全てカバーするために、領域選択ＩＲパルスが印加される領域（選択領域）を、心臓の動きを考慮して撮像領域に比べて広く（厚く）設定すると、領域選択ＩＲパルスにより励起された血液由来のＭＲ信号が強くなる。つまり、観察対象ではない血液の影響が画像に現れてしまう。本実施形態は、心筋の変位に応じて領域選択ＩＲパルスを印加することで、血液による画質の低下を防止する。
【００２９】
図２は、上記の構成の実施形態における処理例を示すフローチャートである。図２において、磁気共鳴イメージング装置１の処理回路１３５の制御機能１３７は、処理を開始すると、シーケンス情報に従って心臓部分の準備撮像を実施し、生体信号及び時系列画像を取得する（ステップＳ１）。心臓部分の準備撮像においては、少なくとも、第１の心時相と、第１の心時相から心筋が変位する第２の心時相とにおいてＭＲ信号を収集し、それぞれの心時相における画像を取得する。準備撮像において、より好ましくは、心拍の１周期以上にわたって所定時間間隔の連続した画像が取得される。
【００３０】
次いで、制御機能１３７は、入力装置１３３により操作者から撮像領域の指定を受け付ける（ステップＳ２）。図３は、撮像領域の指定の例を示す図であり、準備撮像により得られた画像に基づき、心臓Ｈについて、撮像領域Ａ１〜Ａ３の指定を受け付けている。撮像領域Ａ１〜Ａ３は、スライスの断層を示している。撮像領域の指定に基づき、本撮像において、撮像領域Ａ１〜Ａ３にわたる複数のスライスについて撮像が行われる。
【００３１】
図２に戻り、制御機能１３７は、生体信号あるいは時系列画像から収縮期と拡張期を認識する（ステップＳ３）。図４は、心電波形と収縮期及び拡張期の例を示す図であり、心電波形のＲ波から収縮期（Systole）が開始して心臓Ｈが収縮し、収縮期の後に拡張期（Diastole）が開始して心臓Ｈが拡張する。収縮期と拡張期は、例えば、Ｒ波を起点とした心時相の時間割合から認識される。また、時系列画像に基づく心腔の容積変化からの、収縮の終了又は拡張の開始等の判別によって収縮期と拡張期が認識されるようにすることもできる。また、心電波形による収縮期と拡張期の認識と、時系列画像による収縮期と拡張期の認識とを併用することもできる。
【００３２】
図２に戻り、制御機能１３７は、生体信号及び時系列画像から、撮像に適した、心臓の動きの少ない時相を認識する（ステップＳ４）。図５は、心臓の動きの少ない時相の例を示す図であり、左心室容積が拡張期の緩徐流入期においてほぼ一定となり、心臓の動きが少なくなる場合を示している。制御機能１３７は、例えば、時系列画像に基づいて心腔の容積を算出し、容積変化が少なくなる時相から、心臓の動きが少なくなる時相を認識する。なお、前述した操作者からの撮像領域の指定の受付（ステップＳ２）は、心臓の動きの少ない時相の認識（ステップＳ４）の後、撮像の時相を指定した上で行うようにしてもよい。
【００３３】
図２に戻り、制御機能１３７は、心臓の動きの少ない時相から、操作者からの撮像のタイミングの指定があればその指定に従い、ＩＲパルス印加及びデータ取得のタイミングを決定する（ステップＳ５）。すなわち、制御機能１３７は、心臓の動きの少ない時相に撮像のタイミングを設定し、血液のＴ１値によって決まる反転時間ＴＩ前にＩＲパルス印加のタイミングを設定する。なお、反転時間ＴＩは許容幅があるため、例えば、ＩＲパルス印加を心電波形のＲ波の直後とし、それから反転時間ＴＩの許容幅に撮像のタイミングが収まる場合は、ＩＲパルス印加のタイミングを変更しなくてもよい。
【００３４】
図６は、ＩＲパルス印加及びデータ取得のタイミングの例を示す図である。図６において、横軸は経過時間を示し、ＥＣＧ、ＲＦ、Ｍｚはそれぞれ、心電波形、ＲＦパルス、縦磁化成分を表す。収縮期の開始初期に領域非選択ＩＲパルスＩＲ１と領域選択ＩＲパルスＩＲ２とを印加し、血液の縦磁化の回復曲線がヌル点（Null  point）に達する頃の反転時間ＴＩ後からデータ取得（Data  Acquisition）を開始する。血液の縦磁化ベクトルの値がゼロ付近となる時刻においても、心筋の縦磁化ベクトルの値は正の値で推移している。これは心筋に対して領域非選択ＩＲパルスＩＲ１と領域選択ＩＲパルスＩＲ２とが印加されるためである。したがって、血液の縦磁化の回復曲線がヌル点の付近となる場合であって、心臓の動きが少ないタイミングでデータ取得を行うことで、心筋からのＭＲ信号を高信号で取得することができる。
【００３５】
図２に戻り、制御機能１３７は、生体信号及び時系列画像から、収縮期と拡張期における心臓の組織上の同一位置を認識する（ステップＳ６）。すなわち、ＩＲパルスの印加からデータ取得（撮像）までは所定の反転時間を空ける必要があり、収縮期にＩＲパルスを印加して拡張期にデータ取得する場合と、拡張期にＩＲパルスを印加して収縮期にデータ取得する場合とがある。いずれの場合も、ＩＲパルスの印加とデータ取得の間に心臓の収縮・拡張が行われても、心臓の組織上の同一位置を把握することで、心臓の組織上の同一位置においてＩＲパルスの印加とデータ取得とが行えるようになり、信号が低下していない血液による影響を少なくし、画質の低下を防止することができる。
【００３６】
なお、ＩＲパルス印加とデータ取得のタイミングは、上述した場合に限られない。例えば、心拍の周期が短い場合、収縮期にＩＲパルスの印加が行われ、次の収縮期にデータ取得が行われる場合もある。同様に、拡張期にＩＲパルスの印加が行われ、次の拡張期にデータ取得が行われる場合もある。心拍の周期が長い場合、一つの収縮期又は拡張期においてＩＲパルス印加とデータ取得が行われることも考えられる。ただし、ＩＲパルス印加とデータ取得が同じ時相において行われる場合は、心臓の変形があまりないと考えられ、選択領域を撮像領域とほぼ同じとしてよく、選択領域を決めるための処理を簡素化することができる。
【００３７】
図７Ａ及び図７Ｂは、収縮期と拡張期における同一位置の認識の例を示す図である。例えば、図７Ａの拡張期における心筋の組織に設定されたセグメントＳＥ１〜ＳＥ５は、図７Ｂの収縮期における同符号のセグメントＳＥ１〜ＳＥ５に対応する。セグメントは、心筋の画像に設定した複数の領域である。セグメントの設定は、例えば、心筋の組織の断面に沿って多角形を割り当てることにより行われる。拡張期から収縮期までの間に変化する心筋の形状をセグメント単位で追跡するには、例えば、画像の特徴に基づくパターンマッチングを用いることができる。図８Ａ及び図８Ｂは、同一位置の認識の結果の例を示す図であり、図８Ａの拡張期における直線Ｌ１と、図８Ｂの収縮期における直線Ｌ２とが心臓の組織上の同一位置に対応することを示している。なお、セグメントを用いる同一位置の認識に代えて、例えば、心臓の組織上にいくつかの代表点を設定しておき、その代表点を追跡して変位を認識するようにしてもよい。
【００３８】
図２に戻り、制御機能１３７は、同一位置の認識の結果に基づき、各部位の収縮率・拡張率を取得する（ステップＳ７）。収縮率は、拡張した状態を基準にして、同一部位のサイズが収縮した状態においてどれだけ収縮したかを示す。拡張率は、収縮した状態を基準にして、同一部位のサイズが拡張した状態においてどれだけ拡張したかを示す。
【００３９】
次いで、制御機能１３７は、領域選択ＩＲパルスの印加位置及び厚みを決定する（ステップＳ８）。すなわち、制御機能１３７は、既に決定されたＩＲパルス印加及びデータ取得のタイミングに基づき、操作者から指定された撮像領域に対応する、領域選択ＩＲパルスを印加する選択領域の位置（中心位置）を決定する。例えば、制御機能１３７は、図３におけるスライス方向の撮像領域Ａ１〜Ａ３の指定に対し、その範囲に含まれる個々のスライスについて領域選択ＩＲパルスを印加する選択領域の位置（中心位置）を決定する。
【００４０】
また、制御機能１３７は、既に取得された各部位の収縮率・拡張率から、領域選択ＩＲパルスを印加する選択領域の厚みを決定する。例えば、領域選択ＩＲパルスの印加が収縮期の初期に行われ、データ取得（撮像）が拡張期に行われる場合、その間の該当する部位の収縮率・拡張率に基づき、撮像領域の厚み（スライス厚）から逆算して領域選択ＩＲパルスの印加時での選択領域の厚みを決定する。なお、収縮・拡張が大きい場合には、組織の位置の変動も大きくなるため、収縮率・拡張率が所定の閾値よりも大きい場合には、変動を見込んだ所定の大きさのマージンを選択領域の厚みに加えるようにしてもよい。
【００４１】
図９は、領域選択ＩＲパルスの印加位置及び厚みの例を示す図である。図９において、選択領域Ａ２Ｓは、撮像領域Ａ２に対応する領域選択ＩＲパルスの印加領域である。なお、領域非選択ＩＲパルスは撮像領域Ａ２及び選択領域Ａ２Ｓを含む広範囲に印加される。また、図９では撮像領域Ａ２を選択領域Ａ２Ｓが包含する形となっているが、ＩＲパルス印加及びデータ取得のタイミングや心臓の収縮・拡張の仕方によって、大小関係が逆になったり、重なりがずれたりすることもある。例えば、心臓が拡張した状態でＩＲパルス印加が行われ、心臓が収縮した状態で撮像が行われ、収縮・拡張が大きい場合（例えば、収縮率・拡張率が所定値を超えた場合）、制御機能１３７は選択領域の厚みを撮像領域よりも厚く算出する。心臓が収縮した状態でＩＲパルス印加が行われ、心臓が拡張した状態で撮像が行われ、収縮・拡張が大きい場合、制御機能１３７は選択領域の厚みを撮像領域よりも薄く算出する。いずれの状態でのＩＲパルス印加及び撮像であっても、収縮・拡張がほとんどない場合（例えば、収縮率・拡張率が０程度）、制御機能１３７は選択領域の厚みを撮像領域と同等に算出する。
【００４２】
図２に戻り、制御機能１３７は、本撮像を実施する（ステップＳ９）。例えば、図６に示されたＩＲパルス印加及びデータ取得のタイミングに従って、領域非選択ＩＲパルスＩＲ１及び領域選択ＩＲパルスＩＲ２の印加が行われ、データ取得（撮像）が行われる。これにより、心筋を高画質で撮像でき、動きの影響による誤診を回避しやすくなる。
【００４３】
図２で説明したフローチャートにおける処理の順序は、結果に本質的な影響を与えない範囲で変えてもよい。
【００４４】
図２に示されたステップＳ１〜Ｓ９は、制御機能１３７に対応するステップである。ステップＳ１〜Ｓ９は、処理回路１３５がメモリ１３２から制御機能１３７に対応するプログラムを読み出し実行することにより、制御機能１３７が実現されるステップである。
【００４５】
以上説明された実施形態によれば、第１の心時相において領域選択ＩＲパルスを印加する選択領域を、第２の心時相における撮像領域及びＭＲ信号に基づく心筋の変位に応じて算出するので、心筋を高画質で撮像できる。
【００４６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４７】
１  磁気共鳴イメージング装置
１３１  コンピューター
１３５  処理回路
１３７  制御機能
１３８  画像生成機能
【図１】
2020014553.tif 000003
【図２】
2020014553.tif 000004
【図３】
2020014553.tif 000005
【図４】
2020014553.tif 000006
【図５】
2020014553.tif 000007
【図６】
2020014553.tif 000008
【図７Ａ】
2020014553.tif 000009
【図７Ｂ】
2020014553.tif 000010
【図８Ａ】
2020014553.tif 000011
【図８Ｂ】
2020014553.tif 000012
【図９】
2020014553.tif 000013